(57)【要約】【課題】  既存のサイズのコンタクトイメージセンサを使用して、その配列と、原稿の読み取り方法とに工夫を凝らし、原稿のサイズに応じて効率的な読み取りを可能とした読取り装置を提供する。【解決手段】  読取りデバイス４０と読取りデバイス５０とは、その一部が副走査方向において重なるように主走査方向に沿って長手状に配置されており、原稿の幅が重なり長さを超える場合には、読取りデバイス４０及び／又は読取りデバイス５０によって所定速度で原稿を読み取り、原稿の幅が重なり長さ以下の場合には、読取りデバイスの重なり部分によって所定速度よりも速い速度で原稿を読み取る。【選択図】    図１
2007053636.tif 000002
【特許請求の範囲】
【請求項１】
原稿ガラス上に載置された原稿の画像を読取りデバイスを走査させることによって読み取る読取り装置において、
前記読取りデバイスは、その一部が走査される第１の方向に重なるように、前記第１の方向に交差する第２の方向に沿って長手状に複数列配置されており、
前記原稿の幅が前記読取りデバイスの重なり長さを超える場合には、１列又は複数列の読取りデバイスによって原稿を読み取る第１の読取り手段と、
前記原稿の幅が前記読取りデバイスの重なり長さ以下の場合には、前記読取りデバイスの重なり部分によって、前記第１の読取り手段よりも速い速度で原稿を読み取る第２の読取り手段と
を備えたことを特徴とする読取り装置。
【請求項２】
前記第１の読取り手段は、前記原稿の幅が前記複数列の読取りデバイスのうち１列の長さ以内の場合には、該１列の読取りデバイスによって原稿を読み取ることを特徴とする請求項１に記載の読取り装置。
【請求項３】
前記複数列間の前記読取りデバイスの走査方向における幅は、読取り解像度から算出される前記走査の最小単位の整数倍に設定されていることを特徴とする請求項１または請求項２に記載の読取り装置。
【請求項４】
前記読取りデバイスは、Ａ４サイズ用の読取りデバイスであって、
前記読取りデバイスの重なり長さは、はがき幅以上であることを特徴とする請求項１〜請求項３のいずれかに記載の読取り装置。
【請求項５】
複数列に配置された前記読取りデバイスは、一体的にモールドされていることを特徴とする請求項１〜４のいずれかに記載の読取り装置。
【発明の詳細な説明】
【技術分野】
【０００１】
本発明は、走査することによって原稿の画像を読み取る読取り装置に関する。
【背景技術】
【０００２】
従来、この種の読取り装置においては、例えば、下記特許文献１に記載の読取り装置が提案されている。この読取り装置は、複数に分割されたコンタクトイメージセンサを用いて画像を読み取るように構成されている。ここで、複数に分割されたコンタクトイメージセンサは一列に並んで配設されている。
【特許文献１】特開２００１−１３６３４５号公報
【発明の開示】
【発明が解決しようとする課題】
【０００３】
しかしながら、上記読取り装置では、コンタクトイメージセンサが一列に並んで配列されている為、原稿の読み取り速度は、原稿のサイズに拘わらず解像度に応じて一定にしなければならなかった。
【０００４】
また、コンタクトイメージセンサは、読取り装置の仕様によって原稿の最大サイズが決定される。例えば、原稿の最大サイズがＡ４の場合には、Ａ４用のコンタクトイメージセンサが使用され、原稿の最大サイズがＡ３の場合には、Ａ３のコンタクトイメージセンサが使用されるのが一般的である。しかしながら、新たなサイズのコンタクトイメージセンサを設計するとなると、読取り装置の販売台数によってはコンタクトイメージセンサの製造コストが増大する結果となる。
【０００５】
そこで、本発明は、既存のサイズのコンタクトイメージセンサを使用して、その配列と、原稿の読み取り方法とに工夫を凝らし、原稿のサイズに応じて効率的な読み取りを可能とした読取り装置を提供することを目的とする。
【課題を解決するための手段】
【０００６】
上記課題の解決にあたり、本発明に係る読取り装置は、請求項１の記載によれば、
原稿ガラス上に載置された原稿の画像を読取りデバイスを走査させることによって読み取る当該読取り装置において、読取りデバイスは、その一部が走査される第１の方向に重なるように、第１の方向に交差する第２の方向に沿って長手状に複数列配置されており、原稿の幅が読取りデバイスの重なり長さを超える場合には、１列又は複数列の読取りデバイスによって原稿を読み取る第１の読取り手段と、原稿の幅が読取りデバイスの重なり長さ以下の場合には、読取りデバイスの重なり部分によって、第１の読取り手段よりも速い速度で原稿を読み取る第２の読取り手段とを備えたことを特徴とする。
【０００７】
このように、第１の読取り手段が、読取りデバイスの重なり長さ以上の原稿を１列又は複数列の読取りデバイスによって読み取り、第２の読取り手段が、読取りデバイスの重なり長さ以下の原稿を、読取りデバイスの重なり部分によって第１の読取り手段よりも速い速度で読み取るので、サイズの大きな原稿に対しては、１列又は複数列の読取りデバイスによって原稿を読み取ることができるとともに、サイズの小さな原稿に対しては、読取りデバイスの重なっている部分において高速に原稿を読み取る効果を奏する。
【０００８】
また、本発明は、請求項２の記載によれば、請求項１に記載の読取り装置において、第１の読取り手段は、原稿の幅が複数列の読取りデバイスのうち１列の長さ以内の場合には、該１列の読取りデバイスによって原稿を読み取ることを特徴とする。
【０００９】
このように、第１の読取り手段が１列の読取りデバイスのみによって原稿を読み取るので、消費電力を軽減することができる。
【００１０】
また、本発明は、請求項３の記載によれば、請求項１または請求項２に記載の読取り装置において、複数列間の読取りデバイスの走査方向における幅は、読取り解像度から算出される走査の最小単位の整数倍に設定されていることを特徴とする。
【００１１】
このように、複数列間の読取りデバイスの走査方向における幅が読取り解像度から算出される走査の最小単位の整数倍に設定されているので、列間の読取りの同期を容易にとることができる。
【００１２】
また、本発明は、請求項４の記載によれば、請求項１〜請求項３のいずれかに記載の読取り装置において、読取りデバイスは、Ａ４サイズ用の読取りデバイスであって、読取りデバイスの重なり長さは、はがき幅以上であることを特徴とする。
【００１３】
このように、汎用性のあるＡ４サイズの読取りデバイスを使用する為、読取り装置のコストを低減することができる。
【００１４】
さらに、本発明は、請求項５の記載によれば、請求項１〜請求項４のいずれかに記載の読取り装置において、複数列に配置された読取りデバイスは、一体的にモールドされていることを特徴とする。
【００１５】
このように、複数列に配置された読取りデバイスは一体的にモールドされているので、読取りデバイスが簡単な構成で提供され得る。また、読取りデバイス間の位置調整を行うことなく、サイズの大きな原稿に対して読み取りを可能とするとともに、サイズの小さな原稿に対しては高速で読み取ることができる。
【発明を実施するための最良の形態】
【００１６】
以下、本発明の各実施形態を図面により説明する。
（第１実施形態）
図１及び図２は、本発明に係る読取り装置の第１実施形態を示している。この読取り装置は、図１に示すごとく、装置本体１０を備えており、この装置本体１０の上側開口部１１には、原稿ガラス板２０が嵌着されている。なお、図１及び図２にて、符号３０は、原稿ガラス板２０上に載置された原稿（１頁分）を示している。
【００１７】
また、当該読取り装置は、装置本体１０内に平行に設けられた読取りデバイス４０、５０を備えている。両読取りデバイス４０、５０は、図１に示すごとく、原稿ガラス板２０の裏面側にて装置本体１０の開口部１１の図示左右方向（主走査方向）に沿い長手状に延在しており、これら両読取りデバイス４０、５０は、開口部１１の図示上下方向（副走査方向）に移動可能に、支持体（図示しない）でもって、装置本体１０内に支持されている。なお、上記副走査方向が本発明の第１の方向に対応し、上記主走査方向が本発明の第２の方向に対応する。
【００１８】
両読取りデバイス４０、５０のうち、読取りデバイス４０は、図１に示すごとく、装置本体１０の開口部１１内にて他の読取りデバイス５０よりも図示左側に延在している。
【００１９】
読取りデバイス４０は、断面略コ字状の支持部材４０ａ及び読取り部材４０ｂを備えており、支持部材４０ａは、装置本体１０の開口部１１の左右方向に沿い長手状に延在している。
【００２０】
読取り部材４０ｂは、支持部材４０ａのコ字状の凹所４１内にその長手方向に沿い収容されている。当該読取り部材４０ｂは、長手状のケーシング４２を有しており、このケーシング４２は、その長手方向両端側に設けた両突起４２ａ（図２では、一方の突起４２ａのみを示す）でもって、支持部材４０ａの図示左側壁４３に上下方向に回動可能に連結支持されている。
【００２１】
当該読取り部材４０ｂは、図１に示すごとく、導光板４４、レンズアレイ４５及びレンズアレイ４５に対応した一連の受光素子（図示しない）を有している。導光板４４は、ケーシング４２内にてその長手方向に沿い配列されており、この導光板４４は、発光ダイオード（図示しない）からの光を導光し、１次元状の光として、原稿ガラス板２０を通し原稿３０に向けて出射する。
【００２２】
レンズアレイ４５は、一連の屈折率分布型円柱レンズ４５ａでもって構成され、ケーシング４２内にて導光板４４に沿い配列されている。しかして、一連の円柱レンズ４５ａは、原稿３０にて反射される導光板４４からの１次元状の光を受光して下方に向けて出射する。
【００２３】
なお、各円柱レンズ４５ａは、その先端部４５ｂにて、ケーシング４２の開口端から上方へ突出し、原稿ガラス板２０の裏面に対向している。
【００２４】
上述の一連の受光素子は、レンズアレイ４５の直下にて一連の円柱レンズ４５ａに対向するように配列されており、当該一連の受光素子の各々は、各対応する円柱レンズ４５ａの出射光を受光して読取りデータとして出力する。
【００２５】
また、読取りデバイス４０は、図２に示すごとく、コイルスプリング４０ｃを有しており、このコイルスプリング４０ｃは、支持部材４０ａの凹所４１の底壁の幅方向中央部と読取り部材４０ｂのケーシング４２の底壁の幅方向中央部との間に介装されている。
【００２６】
これにより、コイルスプリング４０ｃは、その弾力により、読取り部材４０ｂを原稿ガラス板２０側へ付勢する。このことは、読取り部材４０ｂが、ケーシング４２の突起４２ａと支持部材４０ａの左側壁４３との連結部位を中心に、コイルスプリング４０ｃにより図示反時計方向に付勢されて、所定傾斜角度に維持されることを意味する。
【００２７】
読取りデバイス５０は、断面略コ字状の支持部材５０ａ及び読取り部材５０ｂを備えており、支持部材５０ａは、装置本体１０の開口部１１の左右方向に沿い長手状に延在している。
【００２８】
読取り部材５０ｂは、支持部材５０ａのコ字状の凹所５１内にその長手方向に沿い収容されている。当該読取り部材５０ｂは、長手状のケーシング５２を有しており、このケーシング５２は、その長手方向両端側に設けた両突起５２ａ（図２では、一方の突起５２ａのみを示す）でもって、支持部材５０ａの図示左側壁５３に上下方向に回動可能に連結支持されている。
【００２９】
また、当該読取り部材５０ｂは、図１に示すごとく、導光板５４、レンズアレイ５５及びレンズアレイ５５に対応した一連の受光素子（図示しない）を有している。導光板５４は、ケーシング５２内にてその長手方向に沿い配設されており、この導光板５４は、他の発光ダイオード（図示しない）からの光を導光し、１次元状の光として、原稿ガラス板２０を通し原稿３０に向けて出射する。
【００３０】
レンズアレイ５５は、一連の屈折率分布型円柱レンズ５５ａでもって構成され、ケーシング５２内にて導光板５４に沿い配列されている。しかして、一連の円柱レンズ５５ａは、原稿３０にて反射される導光板５４からの１次元状の光を受光してその下方に向けて出射する。
【００３１】
なお、各円柱レンズ５５ａは、その先端部５５ｂにて、ケーシング５２の開口端から上方へ突出し、原稿ガラス板２０の裏面に対向している。
【００３２】
また、読取り部材５０ｂの一連の受光素子は、レンズアレイ５５の直下にて一連の円柱レンズ５５ａに対向するように配列されており、当該一連の受光素子の各々は、各対応する円柱レンズ５５ａの出射光を受光して読取りデータとして出力する。
【００３３】
また、読取りデバイス５０は、コイルスプリング５０ｃを有しており、このコイルスプリング５０ｃは、支持部材５０ａの凹所５１の底壁の幅方向中央部と読取り部材５０ｂのケーシング５２の底壁の幅方向中央部との間に介装されている。これにより、コイルスプリング５０ｃは、その弾力により、読取り部材５０ｂを原稿ガラス板２０側へ付勢する。このことは、読取り部材５０ｂが、ケーシング５２の突起５２ａと支持部材５０ａの左側壁５３との連結部位を中心に、コイルスプリング５０ｃにより図２にて図示反時計方向に付勢されて、上記所定傾斜角度に維持されることを意味する。
【００３４】
本実施形態では、読取りデバイス５０は、その左側部Ｌ（以下、重なり部Ｌという）にて、副走査方向において、読取りデバイス４０の右側部Ｒ（以下、重なり部Ｒという）と重なり合うように位置している。ここで、読取りデバイス５０の重なり部Ｌ及び読取りデバイス４０の重なり部Ｒの各重なり長さは、官製はがきの幅よりも幾分長く設定されている。
【００３５】
また、読取りデバイス５０のレンズアレイ５５と読取りデバイス４０のレンズアレイ４５との間の副走査方向に沿う間隔は、読取り解像度に基づき決定される上記副走査方向の最小走査単位（例えば、両隣接ラインの間隔）の整数倍（例えば、１倍）に設定されている。
【００３６】
なお、本実施形態では、両読取り部材４０ｂ、５０ｂとして、汎用性の高いＡ４サイズ用コンタクトイメージセンサが採用されている。
【００３７】
次に、当該読取り装置の回路構成について図３を参照して説明すると、両アナログ−デジタル変換器６０、７０（以下、Ａ−Ｄ変換器６０、７０という）は、それぞれ、両読取りデバイス４０、５０の読取りデータをデジタル変換してマイクロコンピュータ８０に出力する。
【００３８】
マイクロコンピュータ８０は、図４にて示すフローチャートに従い、コンピュータプログラムを実行し、この実行中において、駆動機構９０の駆動処理や両Ａ−Ｄ変換器６０、７０からの各出力に基づく原稿サイズに応じた読取り処理を行う。なお、上記コンピュータプログラムは、マイクロコンピュータ８０のＲＯＭに予め記憶されている。
【００３９】
駆動機構９０は、その駆動モータにて、マイクロコンピュータ８０による制御のもとに駆動制御されて、両読取りデバイス４０、５０を一体的に副走査方向に移動させる。
【００４０】
以上のように構成した本第１実施形態において、当該読取り装置が作動すると、マイクロコンピュータ８０は、図４のフローチャートに従い、上記コンピュータプログラムの実行を開始する。
【００４１】
このとき、読取りデバイス４０は、装置本体１０の開口部１１の副走査方向の図１上端（原稿３０の１ライン目に対応）に位置しているものとする。
【００４２】
また、本実施形態では、当該読取り装置において、原稿３０がＡ３サイズ原稿、Ａ４サイズ原稿或いははがきサイズ原稿であるときは、当該原稿３０を、原稿ガラス板２０の全領域上、当該原稿ガラス板２０のうち読取りデバイス４０に対応する領域上或いは当該原稿ガラス板２０のうち両読取りデバイス４０、５０の重なり部に対応する領域上に載置するように設定されている。
【００４３】
しかして、図４のステップ１００において、原稿３０がＡ４サイズ原稿か否かが判定される。現段階において、原稿３０がＡ４サイズ原稿であって原稿ガラス板２０のうち読取りデバイス４０に対応する領域上に載置されていれば、ステップ１００における判定はＹＥＳとなる。
【００４４】
ついで、ステップ１０１において、一方の読取りデバイスによる読取り設定処理がなされる。ここで、当該一方の読取りデバイスは読取りデバイス４０であることから、この読取りデバイス４０が上記Ａ４サイズ原稿を読み取るように設定される。
【００４５】
これに伴い、上記Ａ４サイズ原稿の１ライン目の原稿部位が読取りデバイス４０により読み取られて、各色（シアン、マゼンタ、イエロー、ブラック）のデータとしてマイクロコンピュータ８０のＲＡＭの各色用１ライン目記憶領域に記憶される（図５参照）。なお、読取りデバイス５０は読み取り停止状態におかれる。
【００４６】
なお、図５において、符号０は、上記各色用１ライン目記憶領域における上記各色用データの０番目の画素に対応する記憶部位を表し、符号ｍは、上記各色用１ライン目記憶領域における上記各色用データのｍ番目の画素に対応する記憶部位を表す。
【００４７】
然る後、ステップ１０２において、一方の読取りデバイスの１ライン分の移動処理がなされる。現段階では、読取りデバイス４０を副走査方向に沿い１ライン目から２ライン目に移動させる処理がなされる。この処理に伴い、駆動機構９０が、その駆動モータでもって、読取りデバイス４０を副走査方向に沿い１ライン目から２ライン目に読取りデバイス５０と共に移動させる。
【００４８】
ステップ１０２における処理後、ステップ１１０において、上記Ａ４サイズ原稿の１頁分の読み取りが終了したか否かが判定される。現段階では、未だ１ライン分の読み取りが終了しただけであることから、ステップ１１０における判定はＮＯとなる。
【００４９】
以後、ステップ１０１〜ステップ１１０の循環処理が繰り返されて、上記Ａ４サイズ原稿の２ライン目以後のライン毎の読み取り及び読取りデバイス４０のライン毎の移動が順次行われる。なお、上記Ａ４サイズ原稿の２ライン目以後のライン毎の読み取りに伴い、ライン毎原稿部位がマイクロコンピュータ８０のＲＡＭの各色用の各記憶領域に順次記憶される（図５参照）。
【００５０】
このような状態において、上記Ａ４サイズ原稿の１頁分の読み取りが終了すると、ステップ１１０においてＹＥＳと判定される。これにより、上記Ａ４サイズ原稿の読み取りが終了する。
【００５１】
次に、上述のようにコンピュータプログラムがステップ１００に進んだとき、原稿３０がＡ３サイズ原稿或いははがきサイズ原稿であれば、ステップ１００における判定はＮＯとなる。
【００５２】
これに伴い、ステップ１０３において、ラインギャップＮの設定処理がなされる。本実施形態では、当該ラインギャップＮは、両読取りデバイス４０、５０の各レンズアレイ４５、５５の副走査方向の間隔（最小走査単位の整数倍（例えば、１倍））を表し、マイクロコンピュータ８０のＲＯＭに予め記憶されている。
【００５３】
しかして、ステップ１０３では、ラインギャップＮがマイクロコンピュータ８０のＲＯＭに記憶済みの各レンズアレイ４５、５５の間隔（例えば、両隣接ラインの間隔）に設定される。
【００５４】
ついで、ステップ１０４において、アドレスの生成処理がなされる。この生成処理では、ラインギャップＮを考慮した上で、Ａ３サイズ原稿及びはがきサイズ原稿のライン毎の原稿部位に対する各読取りデータを記憶させるべき各記憶領域のアドレスが生成されて上記ＲＡＭに出力される。これにより、当該ＲＡＭの各記憶領域が上記各生成アドレスに対応付けられる。
【００５５】
然る後、ステップ１０５において、ライン計数値ｚがｚ＝０とクリアされる。ここで、ライン計数値ｚは、ｚ＝０〜Ｎの範囲以内の値をとる。
【００５６】
次に、ステップ１２０において、原稿３０がはがきサイズ原稿であるか否かが判定される。ここで、原稿３０がＡ３サイズ原稿であって原稿ガラス板２０の全領域に載置されていれば、ステップ１２０における判定はＮＯとなる。
【００５７】
すると、ステップ１２１において、両読取りデバイス４０、５０による読取り設定処理がなされる。これに伴い、両読取りデバイス４０、５０が、上記Ａ３サイズ原稿を読み取るように設定される。
【００５８】
このとき、上述のように読取りデバイス４０は、上記Ａ４サイズ原稿の１ライン目に位置していることから、読取りデバイス５０は、上記Ａ４サイズ原稿のＮライン目に位置している。
【００５９】
従って、両読取りデバイス４０、５０で上記Ａ３サイズ原稿の１ライン分を読みとれるのは、上記Ａ３サイズ原稿のうち上記Ａ４サイズ原稿のＮライン目に対応するラインが最初のラインとなる。そこで、本実施形態では、上記Ａ３サイズ原稿の１ライン目は、上記Ａ４サイズ原稿のＮライン目に位置するものとする。また、上記Ａ３サイズ原稿の１ライン分の複数の画素のうち０番目からｍ番目の画素が読取りデバイス４０によって読み取られ、残りのｍ＋１番目からｎ番目の画素が読取りデバイス５０によって読み取られるようになっている。
【００６０】
よって、ステップ１２１においては、上記Ａ３サイズ原稿の１ライン目のｍ＋１番目からｎ番目の画素に対応する原稿部位が読取りデバイス５０により読み取られて、各色用データとして、マイクロコンピュータ８０のＲＡＭの各色用Ｎライン目記憶領域のｍ＋１番目からｎ番目の記憶部位に記憶される（図６参照）。
【００６１】
ついで、ステップ１２２において、両読取りデバイス４０、５０の１ライン分の移動処理がなされる。現段階では、読取りデバイス４０を副走査方向に沿い１ライン目から２ライン目に移動させる処理がなされる。この処理に伴い、駆動機構９０が、その駆動モータでもって、読取りデバイス４０を副走査方向に沿い１ライン目から２ライン目に移動させる。このため、読取りデバイス５０は、Ｎライン目からＮ＋１ライン目に移動する。
【００６２】
現段階では、上記Ａ３サイズ原稿の１ライン目のｍ＋１番目からｎ番目の画素に対応する原稿部位を読み取ったにすぎないことから、ステップ１３０においてＮＯと判定される。すると、ステップ１２１において、再び、両読取りデバイス４０、５０により読取り設定処理がなされる。これに伴い、上記Ａ３サイズ原稿の２ライン目のｍ＋１番目からｎ番目の画素に対応する原稿部位が読取りデバイス５０により読み取られて、各色用データとして、マイクロコンピュータ８０のＲＡＭの各色用Ｎライン目記憶領域のｍ＋１番目からｎ番目の各記憶部位に記憶される。
【００６３】
以後、各ステップ１２２、１３０及び１２１の循環処理が繰り返されて、上記Ａ３サイズ原稿の３ライン目以後のｍ＋１番目からｎ番目の画素に対応する原稿部位が順次読取りデバイス５０により読み取られて、各色用データとして、マイクロコンピュータ８０のＲＡＭの３ライン目以後の各記憶領域のｍ＋１番目からｎ番目の各記憶部位に記憶される。
【００６４】
このような状態において、読取りデバイス４０及び読取りデバイス５０が、それぞれ、上記Ａ４サイズ原稿のＮライン目以後及び２Ｎライン目以後に移動すると、上記Ａ３サイズ原稿の１ライン目以後の０番目〜ｍ番目の画素に対応する原稿部位が、順次、読取りデバイス４０により読み取られて、各色用データとして、マイクロコンピュータ８０のＲＡＭのＮライン目以後の記憶領域の０番目〜ｍ番目の記憶部位に記憶される（図６参照）。また、読取りデバイス５０が、上記Ａ３サイズ原稿の２Ｎライン目以後のｍ＋１番目〜ｎ番目の画素に対応する原稿部位が、順次、読取りデバイス５０により読み取られて、各色用データとして、マイクロコンピュータ８０のＲＡＭの２Ｎライン目以後の記憶領域のｍ＋１番目〜ｎ番目の記憶部位に記憶される（図６参照）。
【００６５】
これにより、上記Ａ３サイズ原稿の１ライン以後の原稿部位が、両読取りデバイス４０、５０により読み取られて、マイクロコンピュータ８０のＲＡＭのＮライン目以後の記憶領域に順次１ラインずつ記憶されたこととなる。
【００６６】
然る後、上記Ａ３サイズ原稿の１頁分の読み取りが終了すると、ステップ１３０における判定がＹＥＳとなる。
【００６７】
また、上述のようにコンピュータプログラムがステップ１２０に達したとき、原稿３０がはがきサイズ原稿であって原稿ガラス板２０のうち両読取りデバイス４０、５０の重なり部領域上に載置されていれば、ＹＥＳと判定される。これに伴い、次のステップ１２３において、両読取りデバイス４０、５０の各重なり部による読取り設定処理がなされる。これに伴い、両読取りデバイス４０、５０が、その各重なり部にて、上記はがきサイズ原稿を読み取るように設定される。なお、本実施形態では、ステップ１００〜１５０の処理が、本発明の第１の読取り手段に対応する。
【００６８】
このため、上記はがきサイズ原稿の１ライン目の原稿部位が読取りデバイス４０の重なり部により読み取られて、各色用データとして、上記ＲＡＭの各色用１ライン目記憶領域に記憶されるとともに、上記はがきサイズ原稿のＮライン目の原稿部位が読取りデバイス５０の重なり部により読み取られて、各色用データとして、上記ＲＡＭの各色用Ｎライン目記憶領域に記憶される（図７参照）。なお、図７では、便宜上、上記ＲＡＭの１色目用記憶領域への記憶態様のみが示されている。
【００６９】
ステップ１２３の処理後、ステップ１４０において、ライン計数値がｚ＝Ｎか否かが判定される。現段階では、ｚ＝０であることから、ステップ１４０における判定はＮＯとなる。これに伴い、ステップ１４１において、ｚ＝ｚ＋１＝１と加算更新される。
【００７０】
ついで、ステップ１４２において、読取りデバイスの１ライン分の移動処理がなされる。これに伴い、駆動機構９０が、両読取りデバイス４０、５０を副走査方向に１ライン分移動させる。このため、読取りデバイス４０が２ライン目に移動し、読取りデバイス５０がＮ＋１ライン目に移動する。
【００７１】
このように移動処理がなされると、ステップ１２３において、両読取りデバイス４０、５０の各重なり部による読取り処理が上述と同様になされる。このため、上記はがきサイズ原稿の２ライン目の原稿部位が読取りデバイス４０の重なり部により読み取られて、各色用データとして、上記ＲＡＭの各色用２ライン目記憶領域に記憶され、上記はがきサイズ原稿のＮ＋１ライン目の原稿部位が読取りデバイス５０の重なり部により読み取られて、各色用データとして、上記ＲＡＭの各色用Ｎ＋１ライン目記憶領域に記憶される。
【００７２】
以後、各ステップ１４０、１４１、１４２及び１２３の循環処理が繰り返されている間に、上記はがきサイズ原稿の３ライン目以後の原稿部位が読取りデバイス４０の重なり部により順次読み取られて、各色用データとして、上記ＲＡＭの３ライン目以後の各色用記憶領域に記憶され、上記はがきサイズ原稿のＮ＋２ライン目以後の原稿部位が読取りデバイス５０の重なり部により読み取られて、各色用データとして、上記ＲＡＭの各色用のＮ＋２ライン目以後の記憶領域に記憶される。
【００７３】
然る後、ステップ１４１における最新のライン計数値がｚ＝Ｎに達すると、ステップ１４０においてＹＥＳと判定されて、次のステップ１４３において、読取りデバイスのＮライン分の移動処理がなされる。これに伴い、駆動機構９０は、その駆動モータの作動のもと、両読取りデバイス４０、５０を副走査方向にＮライン分移動させる。このため、読取りデバイス４０が２Ｎライン目に移動し、読取りデバイス５０が３Ｎライン目に移動する。
【００７４】
現段階では、未だ上記はがきサイズ原稿の読取りが１頁分終了していないため、ステップ１５０においてＮＯと判定され、ステップ１０５において再びライン計数値ｚ＝０とクリアされる。以後、ステップ１２０におけるＹＥＳとの判定に伴い、上述と同様にして各ステップ１２３、１４０、１４１及び１４２の循環処理がなされる。
【００７５】
この循環処理では、上記はがきサイズ原稿の２Ｎライン目以後の原稿部位が読取りデバイス４０により読みとられ、各色用データとして、上記ＲＡＭのＮライン目以後の各色用記憶領域に記憶され、上記はがきサイズ原稿の３Ｎライン目以後の原稿部位が読取りデバイス５０によって読み取られて、各色用データとして、上記ＲＡＭの３Ｎライン目以後の各色用記憶領域に記憶される。
【００７６】
その後、同様の処理を繰り返すことで、上記はがきサイズ原稿の１頁分の読み取りが終了すると、ステップ１５０においてＹＥＳと判定される。
【００７７】
以上説明したように、両読取りデバイス４０、５０の配列に工夫を凝らし、読み取りの際に必要な読取りデバイスを原稿３０のサイズに応じて調整するようにしたので、原稿３０のサイズの大きさにかかわりなく、当該原稿３０を読み取ることができる。
【００７８】
また、上記Ａ４サイズ原稿の読み取りにあたっては、読取りデバイス５０を読み取り停止状態におき、読取りデバイス４０のみでもって読み取るようにしたので、当該読取り装置の消費電力の節減につながる。なお、このような作用効果は、読取りデバイス４０を読み取り停止状態におき、読取りデバイス５０のみでもって読み取るようにしても、同様に達成され得る。
【００７９】
また、上記Ａ３サイズ原稿の読み取りにあたっては、読取りデバイス４０、５０の各読み取り素子として、汎用性の高いＡ４サイズ用コンタクトイメージセンサが採用されているので、コストの高いＡ３サイズ用コンタクトイメージセンサを採用することに比べて、当該読取り装置のコストを軽減し得る。
【００８０】
また、上記はがきサイズ原稿の読み取りにあたっては、当該はがきサイズ原稿の１ライン〜Ｎ−１ラインの各原稿部位、２Ｎライン〜３Ｎ−１ラインの各原稿部位、・・・が、読取りデバイス４０の重なり部によって、読み取られるとともに、当該はがきサイズ原稿のＮライン〜２Ｎ−１ラインの各原稿部位、３Ｎライン〜４Ｎ−１ラインの各原稿部位、・・・が、読取りデバイス５０の重なり部によって、読み取られる。
【００８１】
このように両読取りデバイス４０、５０の各重なり部でもって上記はがきサイズ原稿を読み取ることで、両読取りデバイス４０、５０の一方の重なり部のみでもって上記はがきサイズ原稿を読み取るのに比べて、高速（２倍の速度）でもって上記はがきサイズ原稿を読み取ることができる。
【００８２】
また、上述のように、両レンズアレイ４５、５５の副走査方向の間隔、即ち、両読取りデバイス４０、５０の副走査方向の間隔が、読取り解像度に基づき決定される上記副走査方向の最小走査単位（例えば、両隣接ラインの間隔）の整数倍（例えば、１倍）に設定されているので、各読取りデバイス４０、５０の間の読み取りの同期をとることができる。その結果、その後の画像処理が精度よくなされ得る。
【００８３】
また、上述のように、両読取りデバイス４０、５０においては、両読取り部材４０ｂ、５０ｂが、上述のように、同一の方向に向くように同一の傾斜角度に維持されているので、読取りデバイス間において色ずれが生ずることがない。
（第２実施形態）
図８は、本発明の第２実施形態の要部を示しており、この第２実施形態では、上記第１実施形態にて述べた読取りデバイス４０において、読取り部材４０ｂに代えて、読取りデバイス２００が採用された構成となっている。
【００８４】
当該読取りデバイス２００は、長手状のモールド部材２１０に、両読取り部材２２０、２３０をモールドして構成されている。モールド部材２１０は、その長手方向両端部に形成した両突起２１１にて、読取りデバイス４０の読取り部材４０ｂに代えて、ケーシング４２の左側壁４３に回動可能に連結されて、当該ケーシング４２の凹所４１内に収容されている。
【００８５】
両読取り部材２２０、２３０のうち読取り部材２２０は、導光板２２１、レンズアレイ２２２及び一連の受光素子（図示しない）を有している。導光板２２１は、モールド部材２１０内にてその長手方向に沿い配設されており、この導光板２２１は、発光ダイオード（図示しない）からの光を導光し、モールド部材２１０の上面から原稿ガラス板２０を通し原稿３０に向けて出射する。
【００８６】
レンズアレイ２２２は、読取り部材４０ｂのレンズアレイ４５と同様の構成を有するもので、このレンズアレイ２２２は、導光板２２１の長手方向に沿い配列されている。しかして、当該レンズアレイ２２２は、原稿３０にて反射される導光板４４からの１次元状の光を受光して下方に向けて出射する。
【００８７】
また、読取り部材２２０の一連の受光素子は、レンズアレイ２２２の直下にて一連の円柱レンズに対向するように配列されており、当該一連の受光素子の各々は、各対応する円柱レンズの出射光を受光して読取りデータとして出力する。
【００８８】
読取り部材２３０は、導光板２３１、レンズアレイ２３２及び一連の受光素子（図示しない）を有している。導光板２３１は、レンズアレイ２３２を介しレンズアレイ２２２に平行となるようにモールド部材２１０内にてその長手方向に沿い配設されており、この導光板２３１は、発光ダイオード（図示しない）からの光を導光し、モールド部材２１０の上面から原稿ガラス板２０を通し原稿３０に向けて出射する。
【００８９】
レンズアレイ２３２は、読取り部材４０ｂのレンズアレイと同様の構成を有するもので、このレンズアレイ２３２は、導光板２３１とレンズアレイ２２２との間にてその長手方向に沿い配列されている。しかして、当該レンズアレイ２３２は、原稿３０にて反射される導光板２３１からの１次元状の光を受光してその下方に向けて出射する。
【００９０】
また、読取り部材２３０の一連の受光素子は、レンズアレイ２３２の直下にて一連の円柱レンズに対向するように配列されており、当該一連の受光素子の各々は、各対応する円柱レンズの出射光を受光して読取りデータとして出力する。
【００９１】
本第２実施形態において、読取り部材２３０は、その左側部（重なり部）にて、副走査方向において、読取り部材２２０の右側部（重なり部）と重なり合うように位置している。ここで、読取り部材２３０の重なり部及び読取り部材２２０の重なり部の各重なり長さは、官製はがきの幅よりも幾分長く設定されている。
【００９２】
また、読取り部材２３０のレンズアレイ２３２と読取り部材２２０のレンズアレイ２２２との間の副走査方向に沿う間隔は、上記第１実施形態にて述べたと同様に読取り解像度に基づき決定される上記副走査方向の最小走査単位の整数倍に設定されている。その他の構成は、上記第１実施形態と同様である。
【００９３】
このように構成した本第２実施形態においては、両読取り部材２２０、２３０が、原稿３０の読み取り可能なようにモールド部材２１０にモールドされているから、当該読取り装置における読取りデバイスが簡単な構成にてコンパクトに提供され得る。また、読取りデバイス間の位置調整を行うことなく、サイズの大きな原稿に対して読み取りを可能とするとともに、サイズの小さな原稿に対しては高速で読み取ることができる。その他の作用効果は上記第１実施形態と同様である。
【００９４】
なお、本第２実施形態においては、上記第１実施形態にて述べた読取りデバイス５０の読取り部材に代えて、読取りデバイス２００と同様の構成の読取り部材を採用してもよい。
【００９５】
図９は、上記第２実施形態の変形例の要部を示しており、この変形例では、上記第２実施形態にて述べた読取りデバイス２００において、両読取り部材２２０、２３０の構成が次のように変更されている。
【００９６】
即ち、読取り部材２２０においては、導光板２２１が、レンズアレイ２２２よりも読取り部材２３０側にてモールド部材２１０に設けられている。一方、読取り部材２３０においては、導光板２３１が、レンズアレイ２３２よりも読取り部材２２０側にてモールド部材２１０に設けられている。その他の構成は、上記第２実施形態と同様である。
【００９７】
このように構成した本変形例によっても、上記第２実施形態と同様の作用効果が達成され得る。
【００９８】
なお、本発明の実施にあたり、上記各実施形態に限ることなく、次のような種々の変形例が挙げられる。
（１）上記第１実施形態において、両読取りデバイス４０、５０は、Ａ４サイズ用コンタクトイメージセンサに限ることなく、Ａ３サイズ用コンタクトイメージセンサ等の各種サイズ用コンタクトイメージセンサでもって構成してもよい。
（２）上記第１実施形態において、読取りデバイスは、両読取りデバイス４０、５０に限ることなく、さらに増大するようにしてもよい。
（３）なお、本実施形態においては、原稿のサイズをＡ３、Ａ４及びはがきサイズとして説明し、高速で読み取る原稿のサイズをはがきサイズとしたが、それに限られるものではなく、読取りデバイス４０、５０の重なり長さ以下のサイズであれば同様の効果を奏することができる。
（４）また、はがきサイズの原稿を読み取る速度を高速（２倍の速度）として説明したが、それに限られるものではなく、Ａ３及びＡ４サイズの原稿を読み取る速度よりも速い速度で読み取るものであれば良い。
（５）また、本実施形態においては、読取りデバイスを２列に配置した場合を説明したが、それに限られるものではなく、３列以上に配置するようにしても良い。そうすることにより、重なり領域における読取り速度をさらに高速化することができる。
【図面の簡単な説明】
【００９９】
【図１】本発明に係る読取り装置の第１実施形態を示す部分破断平面図である。
【図２】図１の読取り装置を左側からみた部分側面図である。
【図３】上記第１実施形態におけるブロック回路図である。
【図４】図３のマイクロコンピュータの作用を示すフローチャートである。
【図５】原稿がＡ４サイズ原稿である場合のマイクロコンピュータのＲＡＭの各記憶領域への読取りデータの記憶例を示す模式的説明図である。
【図６】原稿がＡ３サイズ原稿である場合のマイクロコンピュータのＲＡＭの各記憶領域への読取りデータの記憶例を示す模式的説明図である。
【図７】原稿がはがきサイズ原稿である場合のマイクロコンピュータのＲＡＭの各記憶領域への読取りデータの記憶例を示す模式的説明図である。
【図８】本発明の第２実施形態の要部を示す平面図である。
【図９】本発明の第２実施形態の変形例の要部を示す平面図である。
【符号の説明】
【０１００】
２０…原稿ガラス板、３０…原稿、４０、５０…読取りデバイス、
４０ｂ、５０ｂ、２２０、２３０…読取り部材、８０…マイクロコンピュータ、
９０…駆動機構、２００…読取りデバイス、２１０…モールド部材。
【図１】
2007053636.tif 000003
【図２】
2007053636.tif 000004
【図３】
2007053636.tif 000005
【図４】
2007053636.tif 000006
【図５】
2007053636.tif 000007
【図６】
2007053636.tif 000008
【図７】
2007053636.tif 000009
【図８】
2007053636.tif 000010
【図９】
2007053636.tif 000011